(57)【要約】【課題】一台にかかるジッタ検査時間を短縮することができる光ディスク装置を提供する。【解決手段】リモコンにおけるテンキー入力をマイコン８が受け付けると、マイコン８は、記憶されたテンキーとディスクにおけるリード対象領域との対応関係に基づき、入力されたテンキーに対応したリード対象領域を認識し、該認識されたリード対象領域が光ピックアップ２、ＲＦアンプ４およびマイコン８により所定のサイズずつ繰り返しリード処理され、所定のサイズのリード処理が正常に終了するたびにマイコン８は表示部１０にその旨を表示させるための信号を表示部１０に出力する。【選択図】図１
2008108336.tif 000002
【特許請求の範囲】
【請求項１】
表示手段と、
操作手段における操作と光ディスクにおけるリード対象領域との対応関係が予め記憶された記憶手段と、
該記憶手段に記憶された対応関係に基づき、前記操作手段においてなされた操作に対応した光ディスクにおけるリード対象領域を認識し、該認識されたリード対象領域を所定のサイズずつ繰り返しリード処理し、該所定のサイズのリード処理後に前記操作手段における操作が受付けられている場合、前記記憶手段に記憶された対応関係に基づき、該操作に対応した前記光ディスクにおけるリード対象領域を認識し、該認識されたリード対象領域を所定のサイズずつ繰り返しリード処理するリード処理手段と、
前記所定のサイズのリード処理が正常に終了するたびにその旨を前記表示手段に表示させるための信号を前記表示手段に出力し、前記所定のサイズのリード処理が正常に終了しなかった場合、その旨を前記表示手段に表示させるための信号を前記表示手段に出力する信号出力手段と、
を備えることを特徴とする光ディスク装置。
【請求項２】
表示手段と、
操作手段における操作と光ディスクにおけるリード対象領域との対応関係が予め記憶された記憶手段と、
該記憶手段に記憶された対応関係に基づき、前記操作手段においてなされた操作に対応した光ディスクにおけるリード対象領域を認識し、該認識されたリード対象領域を所定のサイズずつ繰り返しリード処理するリード処理手段と、
前記所定のサイズのリード処理が正常に終了するたびにその旨を前記表示手段に表示させるための信号を前記表示手段に出力する信号出力手段と、
を備えることを特徴とする光ディスク装置。
【請求項３】
前記所定のサイズのリード処理後に前記操作手段における操作が受付けられている場合、前記リード処理手段は、前記記憶手段に記憶された対応関係に基づき、該操作に対応した前記光ディスクにおけるリード対象領域を認識し、該認識されたリード対象領域を所定のサイズずつ繰り返しリード処理することを特徴とする請求項２に記載の光ディスク装置。
【請求項４】
前記所定のサイズのリード処理が正常に終了しなかった場合、前記信号出力手段は、その旨を前記表示手段に表示させるための信号を前記表示手段に出力することを特徴とする請求項２に記載の光ディスク装置。
【発明の詳細な説明】
【技術分野】
【０００１】
本発明は、光ディスク装置に関するものである。
【背景技術】
【０００２】
従来から、光ディスク装置の検査工程においてＤＶＤ−ＲＡＭのジッタ測定が行われている。ＤＶＤ−ＲＡＭのジッタ測定は、内周のランド・グルーブ、外周のランド・グルーブの４領域について行う必要がある。ＤＶＤ−ＲＡＭのジッタ測定を行う場合、検査者は、光ディスク装置にコンピュータおよびジッタ測定器を接続し、リードする領域範囲や１コマンドでリードするサイズをコンピュータから指定し、光ディスク装置にＤＶＤ−ＲＡＭをリードさせながらジッタ測定器によりジッタを測定していた（なお、光ディスク装置本体がジッタ測定を行うものについては特許文献１、２を参照）。
【特許文献１】特開２００５−１５８１４０号公報
【特許文献２】特開２００６−４０４３３号公報
【発明の開示】
【発明が解決しようとする課題】
【０００３】
しかし、上記従来のジッタ測定方法では、光ディスク装置毎にコンピュータを毎回接続する必要があり、光ディスク装置一台にかかるジッタ検査時間が長くなってしまうという問題があった。
【０００４】
上記問題点を鑑み、本発明は、一台にかかるジッタ検査時間を短縮することができる光ディスク装置を提供することを目的とする。
【課題を解決するための手段】
【０００５】
上記目的を達成するために本発明の光ディスク装置は、
表示手段と、
操作手段における操作と光ディスクにおけるリード対象領域との対応関係が予め記憶された記憶手段と、
該記憶手段に記憶された対応関係に基づき、前記操作手段においてなされた操作に対応した光ディスクにおけるリード対象領域を認識し、該認識されたリード対象領域を所定のサイズずつ繰り返しリード処理するリード処理手段と、
前記所定のサイズのリード処理が正常に終了するたびにその旨を前記表示手段に表示させるための信号を前記表示手段に出力する信号出力手段と、
を備えることを特徴としている。
【０００６】
このような構成によれば、従来のようにコンピュータを接続する必要なく、検査者は表示手段の表示によりジッタ測定が可能であることを確認しつつジッタを測定でき、光ディスク装置一台にかかるジッタ検査時間を短縮できる。
【０００７】
また、本発明の光ディスク装置は上記構成において、前記所定のサイズのリード処理後に前記操作手段における操作が受付けられている場合、前記リード処理手段は、前記記憶手段に記憶された対応関係に基づき、該操作に対応した前記光ディスクにおけるリード対象領域を認識し、該認識されたリード対象領域を所定のサイズずつ繰り返しリード処理するようにすることが好ましい。
【０００８】
このような構成によれば、操作手段を順次操作することで光ディスクの異なる領域についてのジッタ測定を連続的に行え、光ディスク装置一台にかかるジッタ検査時間をより一層短縮できる。
【０００９】
また、本発明の光ディスク装置は上記構成において、前記所定のサイズのリード処理が正常に終了しなかった場合、前記信号出力手段は、その旨を前記表示手段に表示させるための信号を前記表示手段に出力するようにすると好ましい。
【００１０】
このような構成によれば、ジッタ測定不可能な状態に陥ったことを検査者が確認できる。
【発明の効果】
【００１１】
本発明の光ディスク装置によれば、一台にかかるジッタ検査時間を短縮することができる。
【発明を実施するための最良の形態】
【００１２】
以下、本発明の実施形態について図面を参照し説明する。
【００１３】
図１に、本発明に係る光ディスク装置の概略構成を示す。本発明に係る光ディスク装置は、スピンドルモータ１と、光ピックアップ２と、スレッドモータ３と、ＲＦアンプ４と、サーボ回路５と、アクチュエータドライバ６と、スレッドドライバ７と、マイコン８と、リモコン受信部９と、表示部１０とを備えている。また、不図示のトレイ、トレイ駆動モータ、トレイ開閉スイッチも備えている。
【００１４】
スピンドルモータ１は、ディスクを回転させるためのモータである。光ピックアップ２は、不図示のレーザダイオード、対物レンズ、アクチュエータ、フォトディテクタを有している。レーザダイオードが射出したレーザビームは対物レンズによりディスクに集光され、ディスクで反射したレーザビームは対物レンズを通過してフォトディテクタで受光され、電流信号に変換されＲＦアンプ４に出力される。ＲＦアンプ４は、光ピックアップ２からの電流信号を電圧信号に変換し増幅し、ＲＦ信号、トラッキングエラー信号、フォーカスエラー信号を演算生成し、ＲＦ信号をマイコン８に出力し、トラッキングエラー信号およびフォーカスエラー信号をサーボ回路５に出力する。
【００１５】
サーボ回路５は、トラッキングエラー信号に基づきアクチュエータドライバ６を介して光ピックアップ２が有するアクチュエータを駆動し、対物レンズがディスク半径方向に駆動されディスクのトラックに追従するよう制御される。また、サーボ回路５は、フォーカスエラー信号に基づきアクチュエータドライバ６を介して光ピックアップ２が有するアクチュエータを駆動し、対物レンズがディスク面に垂直方向に駆動され、対物レンズの焦点位置がディスクの記録面に位置するよう制御される。
【００１６】
また、サーボ回路５は、スレッドドライバ７を介してスレッドモータ３を駆動し、光ピックアップ２がディスク半径方向に駆動される。
【００１７】
マイコン８は、ＲＦアンプ４からのＲＦ信号に波形整形、復調、エラー訂正の各処理を行う。リモコン受信部９は、不図示のリモコンから赤外線信号を受信しコード信号をマイコン８に出力する。表示部１０は、マイコン８からの表示用信号に基づき文字を表示する。
【００１８】
次に、上記のような構成の本発明に係る光ディスク装置のテストモード時の動作について図２に示すフローチャートを参照して説明する。ここで、マイコン８には予めジッタ測定器が接続されているものとする。
【００１９】
まず、ステップＳ１０で、リモコンにおいてテストモード移行用のキー入力がされると、マイコン８がリモコン受信部９から対応するコード信号を受け付ける。すると、ステップＳ２０で、マイコン８がトレイ駆動モータを駆動し、トレイが光ディスク装置より外部に排出される。ここでトレイにディスクが載置され、トレイ開閉スイッチが押されると、ステップＳ３０で、マイコン８がトレイ駆動モータを駆動し、トレイが光ディスク装置内へ挿入されディスクがローディングされる。
【００２０】
すると、ステップＳ４０で、スピンドルモータ１がディスクを回転させ、光ピックアップ２がディスクのリードイン領域に記録されたディスク種別情報を読み取り、マイコン８はディスクがＤＶＤ−ＲＡＭであるか否かを判定する。もし、ディスクがＤＶＤ−ＲＡＭでないと判定されると（ステップＳ４０のＮ）、マイコン８はトレイ駆動モータを駆動し、トレイが光ディスク装置より外部に排出され（ステップＳ１４０）、テストモードが終了する。
【００２１】
一方、ステップＳ４０でディスクがＤＶＤ−ＲＡＭであると判定されると（ステップＳ４０のＹ）、ステップＳ５０で、マイコン８はリモコンにおけるテンキー入力を受け付ける状態となる。
【００２２】
ここで、マイコン８には予めテンキーとリード開始位置とリード終端位置との対応関係が記憶されている。例えば、図３のように、テンキーの“１”がディスク内周側のランドにおけるリード開始位置とリード終端位置に対応し、テンキーの“２”がディスク内周側のグルーブにおけるリード開始位置とリード終端位置に対応し、テンキーの“３”がディスク外周側のランドにおけるリード開始位置とリード終端位置に対応し、テンキーの“４”がディスク外周側のグルーブにおけるリード開始位置とリード終端位置に対応するようにする。
【００２３】
ステップＳ５０で、リモコンにおいてテンキーが入力され、マイコン８がリモコン受信部９から対応するコード信号を受け付けると、ステップＳ６０で、マイコン８は上記記憶された対応関係に基づき、入力されたテンキーに対応したリード開始位置およびリード終端位置を認識し、サーボ回路５がスレッドモータ３を駆動し光ピックアップ２をディスク半径方向に駆動し、上記認識されたリード開始位置へのシーク動作が行われる。
【００２４】
そして、ステップＳ７０で、マイコン８は、接続されたジッタ測定器へジッタ測定用信号を出力可能な状態へ移行する。
【００２５】
そして、ステップＳ８０で、光ピックアップ２、ＲＦアンプ４およびマイコン８により、上記シークされたリード開始位置から所定サイズ分のリード処理がされる。そして、リードエラーが発生せずリード処理が正常に終了したとマイコン８が判定した場合は（ステップＳ９０のＹ）、ステップＳ１００に進み、マイコン８は表示部１０に表示用信号を出力し、表示部１０に“ＳＴＡＴＵＳ  ＯＫ”と表示される。
【００２６】
そして、ステップＳ１１０で、マイコン８は、リモコンにおけるリターンキー入力または新たなテンキー入力が受け付けられているか判定し、もし受け付けられていなければ（ステップＳ１１０のＮ）、ステップＳ１２０に進む。
【００２７】
ステップＳ１２０で、マイコン８は、上記認識されたリード終端位置までリード処理がされたか否かを判定する。そして、リード終端位置までリード処理されていないと判定されると（ステップＳ１２０のＮ）、ステップＳ８０に戻り、光ピックアップ２、ＲＦアンプ４およびマイコン８により、前回リード処理が終わった位置から所定サイズ分のリード処理が行われる。その後のステップＳ９０〜Ｓ１２０は前述と同様である。ステップＳ８０〜Ｓ１２０が繰り返されリード処理がリード終端位置まで行われると（ステップＳ１２０のＹ）、ステップＳ１３０で、上記認識されたリード開始位置へのシーク動作が行われる。そして、再びステップＳ８０で、光ピックアップ２、ＲＦアンプ４およびマイコン８により、上記シークされたリード開始位置から所定サイズ分のリード処理がされる。
【００２８】
ステップＳ８０のリード処理でリードエラーが発生し、ステップＳ９０でマイコン８がリード処理は正常に終了しなかったと判定すると（ステップＳ９０のＮ）、ステップＳ１５０でマイコン８は表示用信号を表示部１０に出力し、表示部１０に“ＳＴＡＴＵＳ  ＮＧ”と表示される。その後、ステップＳ１６０で、マイコン８はジッタ測定用信号の出力が不能な状態へ移行し、テストモードが終了する。
【００２９】
また、ステップＳ１１０で、リモコンにおけるリターンキー入力または新たなテンキー入力が受け付けられていると判定された場合（ステップＳ１１０のＹ）、ステップＳ１７０で、マイコン８は表示用信号を表示部１０に出力し、表示部１０に“ＳＴＡＴＵＳ  ―”と表示される。そして、ステップＳ１８０で、マイコン８はジッタ測定用信号の出力が不能な状態へ移行する。そして、もしリターンキー入力が受け付けられている場合は、テストモードが終了する。また、新たなテンキー入力が受け付けられている場合は、ステップＳ６０に戻り、マイコン８は上記記憶された対応関係に基づき、新たに入力されたテンキーに対応したリード開始位置およびリード終端位置を認識し、該新たに認識されたリード開始位置へのシーク動作が行われ、その後、ステップＳ１２０については、上記新たに認識されたリード終端位置に基づき、ステップＳ１３０については、上記新たに認識されたリード開始位置に基づきそれぞれ行われる。
【００３０】
本発明の光ディスク装置によれば、検査者がＤＶＤ−ＲＡＭを光ディスク装置にセットし、リモコンにおいて所望する検査領域に対応するテンキーを入力すれば、ＤＶＤ−ＲＡＭの該検査領域が繰り返しリード処理され、検査者は光ディスク装置の表示部における“ＳＴＡＴＵＳ  ＯＫ”の表示によりジッタ測定が可能であることを確認しつつジッタを測定でき、検査者がリモコンのリターンキーを入力すればジッタ測定を終了できる。従来のようにコンピュータを光ディスク装置に接続することなくジッタを測定できるので、光ディスク装置一台にかかるジッタ検査時間を短縮することができる。
【００３１】
また、検査者がリモコンのテンキーを順次入力することで、ＤＶＤ−ＲＡＭにおける検査が必要な４領域についてのジッタ測定を連続的に行うこともでき、ジッタ検査時間をより一層短縮することができる。
【００３２】
また、リード処理が正常に終了しなかった場合、表示部に“ＳＴＡＴＵＳ  ＮＧ”と表示されるので、検査者はジッタ測定が不可能な状態へ陥ったことを確認できる。
【図面の簡単な説明】
【００３３】
【図１】は、本発明に係る光ディスク装置の概略構成図である。
【図２】は、本発明に係る光ディスク装置のテストモードに関するフローチャートである。
【図３】は、リード対象領域の設定例を示す図である。
【符号の説明】
【００３４】
１    スピンドルモータ
２    光ピックアップ
３    スレッドモータ
４    ＲＦアンプ
５    サーボ回路
６    アクチュエータドライバ
７    スレッドドライバ
８    マイコン
９    リモコン受信部
１０    表示部
【図１】
2008108336.tif 000003
【図２】
2008108336.tif 000004
【図３】
2008108336.tif 000005